(57)【要約】      （修正有）【課題】映像の特定色を補正できる撮像装置の処理回路を簡素化し、演算処理の負担を低減する。【解決手段】特定色の情報を含んだ撮影モード情報が設定され、この撮影モード情報の中から所望の撮影モード情報を選択する撮影モード選択手段と、この撮影モード情報に基づき、取り込んだ映像信号の特定色の映像信号を抽出する抽出手段と、抽出した特定色の映像信号に基づき、ホワイトバランスを制御するホワイトバランス制御手段と、特定色の映像信号を色補正するために設定してある色補正パラメータ値に基づき、ホワイトバランス補正手段で補正された映像信号の特定色を所定の色に補正する色補正手段と、色補正手段で補正された映像信号のうち、色差平面における原点を中心とした所定範囲に該当する映像信号のゲイン量を補正する低彩度色抑圧処理手段とを備える撮像装置。【選択図】図１０
2005086641.tif 000002
【特許請求の範囲】
【請求項１】
所定の撮影条件に応じて定めてある特定色の情報を含んだ撮影モード情報が設定されており、この設定してある撮影モード情報の中から所望の撮影モード情報を選択する撮影モード選択手段と、
前記撮影モード選択手段で選択した撮影モード情報に基づき、取り込んだ映像信号の中から前記特定色の映像信号を抽出する特定色抽出手段と、
前記特定色抽出手段で抽出した前記特定色の映像信号に基づき、前記取り込んだ映像信号のホワイトバランスを制御するための制御量を算出するホワイトバランス制御量算出手段と、
前記ホワイトバランス制御量算出手段で算出した制御量に応じて前記取り込んだ映像信号のホワイトバランスを補正するホワイトバランス補正手段と、
前記特定色の映像信号を色補正するために設定してある色補正パラメータ値に基づき、前記ホワイトバランス補正手段で補正された映像信号の特定色を所定の色に色補正する色補正手段と、
前記色補正手段で補正された映像信号のうち、色差平面における原点を中心とした所定範囲に該当する映像信号のゲイン量を補正する低彩度色抑圧処理手段と、
を備えた撮像装置。
【請求項２】
前記色補正手段は、前記映像信号の特定色を所定の色に色補正するとき、色差平面における該当の特定色を示す位置と前記所定の色を示す範囲の中心位置とを直線で結び、該直線と前記所定の色を示す範囲の最外周との交点の位置に該当する色に色補正すること
を特徴とする請求項１に記載の撮像装置。
【請求項３】
前記色補正手段は、前記色補正パラメータ値を変更する機能を備えていること
を特徴とする請求項１に記載の撮像装置。
【請求項４】
前記撮影モード選択手段は、前記撮影モード情報を撮影環境に応じて自動的に選択する機能を備えていること
を特徴とする請求項１に記載の撮像装置。
【請求項５】
所定の撮影条件に応じて定めてある特定色の情報を含んだ撮影モード情報が設定されており、この設定してある撮影モード情報の中から所望の撮影モード情報を選択する撮影モード選択手段と、
前記撮影モード選択手段で選択した撮影モード情報に基づき、取り込んだ映像信号の中から前記特定色の映像信号を抽出する特定色抽出手段と、
前記特定色抽出手段で抽出した前記特定色の映像信号に基づき、前記取り込んだ映像信号のホワイトバランスを制御するための制御量を算出するホワイトバランス制御量算出手段と、
前記ホワイトバランス制御量算出手段で算出した制御量に応じて前記取り込んだ映像信号のホワイトバランスを補正するホワイトバランス補正手段と、
前記特定色の映像信号を色補正するために設定してある色補正パラメータ値に基づき、前記ホワイトバランス補正手段で補正された映像信号の特定色を所定の色に色補正する色補正手段と、
前記色補正手段で補正された映像信号のうち、色差平面における原点を中心とした所定範囲に該当する映像信号のゲイン量を補正する低彩度色抑圧処理手段と、
前記撮影モード選択手段で選択した撮影モード情報に基づいて前記映像信号の輝度レベルを補正する輝度補正手段と、
を備えた撮像装置。
【請求項６】
前記輝度補正手段は、前記映像信号における前記特定色の映像信号の割合を算出し、該算出した割合に応じて該特定色の映像信号の輝度レベルを補正する機能を備えていること
を特徴とする請求項５に記載の撮像装置。
【請求項７】
前記色補正手段は、前記映像信号の特定色を所定の色に色補正するとき、色差平面における該当の特定色を示す位置と前記所定の色を示す範囲の中心位置とを直線で結び、該直線と前記所定の色を示す範囲の最外周との交点の位置に該当する色に色補正すること
を特徴とする請求項５に記載の撮像装置。
【請求項８】
前記色補正手段は、前記色補正パラメータ値を変更する機能を備えていること
を特徴とする請求項５に記載の撮像装置。
【請求項９】
前記撮影モード選択手段は、前記撮影モード情報を撮影環境に応じて自動的に選択する機能を備えていること
を特徴とする請求項５に記載の撮像装置。
【発明の詳細な説明】
【技術分野】
【０００１】
本発明は、撮像装置に関するものである。詳細は、デジタルスチルカメラやビデオカメラ等の撮像装置において、映像信号の中の特定色を色補正することができる撮像装置に関するものである。
【背景技術】
【０００２】
撮影する場面に応じた撮影モード（例えば、海、夜景、ポートレート、風景など）を選択することで、ピントやホワイトバランスなどの各種設定を自動的に行い、映像信号における特定色を撮影する場面に適した所定の色に補正することができるデジタルカメラなどの装置がある。
【０００３】
また、このような映像信号における特定色を補正できる装置において、特定の色を人間が潜在的に記憶している最も美しいと感じる色、いわゆる記憶色に補正する画像処理装置などが考案されている。（例えば、特許文献１参照。）。
【特許文献１】特開２００１−２９２３９０号公報（第３−５頁、図５）
【０００４】
このような装置では、例えば、青空を含んだ風景を撮影した場合、撮影した映像を見るときには、実際に見た青空の色よりも鮮やかな色彩の青色を想起することが多いため、実際に撮影した映像の青色（特定色）を記憶色の青色になるように補正を行い、イメージ通りの色（記憶色など）で映像を再現している。
【０００５】
ここで、撮影した映像信号の特定色を補正するときの色補正処理動作の概要について説明する。
【０００６】
図１１は、従来技術の撮像装置において、色補正処理を行うための主要部の概略構成を示したブロック図の一例であり、撮像装置１００Ａは、撮像レンズ部１０１Ａ、撮像素子１０２Ａ、Ｓ／Ｈ（Ｓａｍｐｌｅ／Ｈｏｌｄ）回路１０３Ａ、ＡＧＣ（Ａｕｔｏｍａｔｉｃ  Ｇａｉｎ  Ｃｏｎｔｒｏｌ）回路１０４Ａ、Ａ／Ｄ（Ａｎａｌｏｇ／Ｄｉｇｉｔａｌ）変換回路１０５Ａ、特定色抽出回路１０６Ａ、ＷＢ（ホワイトバランス）回路１０７Ａ、ガンマ補正回路１０８Ａ、信号処理回路１０９Ａ、色差信号補正回路１１０Ａ、撮影モード選択回路１２０Ａ、色補正値設定回路１３０Ａなどを備えている。
【０００７】
このような構成を備えた撮像装置１００Ａにおける色補正処理の動作概要について図１２のフローチャートを参照しながら説明する。
【０００８】
まず、撮影者が撮影モード選択回路１２０Ａを介して所望の撮影モード（例えば、海、夜景、ポートレート、風景など）を選択すると、装置各部は、撮影モード選択回路１２０Ａで選択された撮影モードに応じて、ピントやホワイトバランスなどの各種設定が自動的に行われる（ＳＴ１０）。
【０００９】
色補正値設定回路１３０Ａでは、特定色を補正するための色補正値のテーブルデータが設定されており、選択された撮影モードに応じて、このテーブルデータの中から該当する特定色の色補正値を選択し、選択した色補正値を色差信号補正回路１１０Ａに設定する（ＳＴ１１、ＳＴ１２）。
【００１０】
そして、撮影を開始すると、撮像レンズ部１０１Ａで取り込まれた被写体からの光を撮像素子１０２Ａで電気信号に変換し、Ｓ／Ｈ回路１０３Ａ、ＡＧＣ回路１０４Ａを介し、Ａ／Ｄ変換回路１０５Ａによってデジタルの映像信号（Ｒ［赤］／Ｇ［緑］／Ｂ［青］）に変換して特定色抽出回路１０６Ａ及びＷＢ（ホワイトバランス）回路１０７Ａに送出する。
【００１１】
特定色信号抽出回路１０６Ａでは、Ａ／Ｄ変換回路１０５Ａから送られてくる映像信号の中から特定色の映像信号を抽出し、抽出した特定色の映像信号に適したホワイトバランスの制御量を算出してＷＢ（ホワイトバランス）回路１０７Ａへ送出する（ＳＴ１３）。
【００１２】
ＷＢ（ホワイトバランス）回路１０７Ａは、Ａ／Ｄ変換回路１０５Ａから送られてくる映像信号（Ｒ［赤］／Ｇ［緑］／Ｂ［青］）の色温度を判定し、特定色信号抽出回路１０６Ａから送られてくるホワイトバランスの制御量に基づいて映像信号（Ｒ［赤］／Ｇ［緑］／Ｂ［青］）のホワイトバランスを補正してガンマ補正回路１０８Ａに送出し、ガンマ補正回路１０８Ａは、この映像信号の階調を補正して信号処理回路１０９Ａに送出する（ＳＴ１４、ＳＴ１５）。
【００１３】
信号処理回路１０９Ａでは、ガンマ補正回路１０８Ａから送られてくるデジタル映像信号（Ｒ［赤］／Ｇ［緑］／Ｂ［青］）を輝度信号Ｙ及び色差信号［Ｂ−Ｙ］、色差信号［Ｒ−Ｙ］に変換し、輝度信号Ｙを出力すると共に、変換した色差信号［Ｂ−Ｙ］、色差信号［Ｒ−Ｙ］を色差信号補正回路１１０Ａに送る（ＳＴ１６）。
【００１４】
色差信号補正回路１１０Ａは、色補正値設定回路１３０Ａによって設定された色補正値に基づき、信号処理回路１０９Ａから送られてくる色差信号［Ｂ−Ｙ］及び色差信号［Ｒ−Ｙ］における特定色を所定の色（記憶色など）に補正し、色補正した色差信号［Ｂ−Ｙ］"及び色差信号［Ｒ−Ｙ］"を次段回路へ出力する（ＳＴ１７、ＳＴ１８）。
【００１５】
続いて、このような色補正処理の動作によって、特定色αを所定の色α１に色補正する場合を例にして説明する。
【００１６】
撮影モード選択回路１２０Ａである撮影モードを選択すると、色補正値設定回路１３０Ａは、テーブルデータから撮影モードに応じた特定色αを色α１に補正するための色補正値を選択し、色差信号補正回路１１０Ａに設定する。
【００１７】
具体的には、図１３（ａ）に示すように、特定色に対するゲイン方向の補正量ＧａｉｎＢ、ＧａｉｎＲ、色相方向の補正量ＨｕｅＢ、ＨｕｅＲというパラメータ値（係数値）からなる色補正マトリクスとして色補正値が与えられる。
【００１８】
例えば、特定色に対してゲイン方向の補正量ＧａｉｎＢ→「１．５」、ＧａｉｎＲ→「１．０」、色相方向の補正量ＨｕｅＢ→「−０．５」、ＨｕｅＲ→「０．０」というパラメータ値で与えられた場合、図１３（ｂ）に示すような色補正値（色補正マトリクス）となる。
【００１９】
色差信号補正回路１１０Ａは、このような色補正値が設定されており、図１３（ｃ）に示すように、信号処理回路１０９Ａから送られてくる色差信号［Ｂ−Ｙ］及び色差信号［Ｒ−Ｙ］を色補正値（色補正マトリクス）によって線形変換することで色補正処理が行われる。
【００２０】
例えば、図１３（ｄ）に示すような色差平面グラフにおいて、色差信号［Ｂ−Ｙ］及び色差信号［Ｒ−Ｙ］の中に含まれている特定色α（ｂ、ｒ）が所定の色α１（ｂ"、ｒ"）に変換された色差信号［Ｂ−Ｙ］"及び色差信号［Ｒ−Ｙ］"が出力される。
【００２１】
このようにして撮影モードに応じて映像信号の特定色を所定の色に色補正してイメージ通りの色（記憶色など）で映像を再現している。
【００２２】
しかしながら、従来の撮像装置では、撮影モードが選択されると、特定色を補正するための色補正値（色補正量）が固定的に選択、設定されてしまうため、撮影状況や撮影する映像によっては必ずしも好ましい色に補正されるとは限らないという問題を有している。
【００２３】
そこで、この改善策として、本出願人により、撮影モード情報に基づいて映像信号の中から特定色の映像信号を抽出し、抽出した特定色の映像信号から特定色の色差データを検出し、撮影モード情報に基づいて補正基準データ記憶手段の中から該当する特定色の補正基準データを選択し、選択した補正基準データと色差検出手段で検出した特定色の色差データに基づいて該当の特定色を所定の色に補正するための色補正値を算出し、算出した色補正値に基づいて映像信号の特定色を所定の色に補正する撮像装置（特願２００３−８８０６０）が出願されている。
【００２４】
また、同様に、本出願人によって、色差平面上における所定の色の位置を示す位置データと所定の色の位置を中心点とした所定の範囲を補正範囲として設定するための補正範囲設定データと補正範囲に該当する特定色を所定の色を示す位置に収束させるための収束係数データとを含んだ色収束パラメータ値が記憶してある色収束パラメータ記憶手段を備え、選択した撮影モード情報に基づいて、色収束パラメータ記憶手段の中から該当する特定色の色収束パラメータ値を選択して設定し、設定した色収束パラメータ値に基づいて算出した補正量により映像信号の中の特定色を色差平面上における所定の色を示す位置に収束させることにより色補正を行う撮像装置（特願２００３−９０６１１）が出願されている。
【発明の開示】
【発明が解決しようとする課題】
【００２５】
上述した従来の撮像装置や本出願人が提出している特願２００３−８８０６０の撮像装置は、色補正値を算出するためのパラメータ値の演算量が多く、時間もかかるため、演算処理の負荷が大きくなってしまうという問題がある。
【００２６】
また、本出願人が提出している特願２００３−９０６１１の撮像装置は、色差平面グラフ（縦軸を色差［Ｒ−Ｇ］、横軸を色差［Ｂ−Ｇ］とした２次元座標）における各象限（４象限）の色を補正しなければならないため、各象限（４象限）に対応した色収束回路を個別に設けなければならず、回路構成が複雑になり、コストがかかってしまうという問題があった。
【００２７】
従って、映像信号の中の特定色を補正できる撮像装置において、回路構成を簡素化し、演算処理の負荷を低減できるようにすることに解決しなければならない課題を有する。
【課題を解決するための手段】
【００２８】
前記課題を解決するため、本発明に係る撮像装置は次のような構成にすることである。
【００２９】
（１）所定の撮影条件に応じて定めてある特定色の情報を含んだ撮影モード情報が設定されており、この設定してある撮影モード情報の中から所望の撮影モード情報を選択する撮影モード選択手段と、前記撮影モード選択手段で選択した撮影モード情報に基づき、取り込んだ映像信号の中から前記特定色の映像信号を抽出する特定色抽出手段と、前記特定色抽出手段で抽出した前記特定色の映像信号に基づき、前記取り込んだ映像信号のホワイトバランスを制御するための制御量を算出するホワイトバランス制御量算出手段と、前記ホワイトバランス制御量算出手段で算出した制御量に応じて前記取り込んだ映像信号のホワイトバランスを補正するホワイトバランス補正手段と、前記特定色の映像信号を色補正するために設定してある色補正パラメータ値に基づき、前記ホワイトバランス補正手段で補正された映像信号の特定色を所定の色に色補正する色補正手段と、前記色補正手段で補正された映像信号のうち、色差平面における原点を中心とした所定範囲に該当する映像信号のゲイン量を補正する低彩度色抑圧処理手段と、を備えた撮像装置。
（２）前記色補正手段は、前記映像信号の特定色を所定の色に色補正するとき、色差平面における該当の特定色を示す位置と前記所定の色を示す範囲の中心位置とを直線で結び、該直線と前記所定の色を示す範囲の最外周との交点の位置に該当する色に色補正することを特徴とする（１）に記載の撮像装置。
（３）前記色補正手段は、前記色補正パラメータ値を変更する機能を備えていることを特徴とする（１）に記載の撮像装置。
（４）前記撮影モード選択手段は、前記撮影モード情報を撮影環境に応じて自動的に選択する機能を備えていることを特徴とする（１）に記載の撮像装置。
【００３０】
（５）所定の撮影条件に応じて定めてある特定色の情報を含んだ撮影モード情報が設定されており、この設定してある撮影モード情報の中から所望の撮影モード情報を選択する撮影モード選択手段と、前記撮影モード選択手段で選択した撮影モード情報に基づき、取り込んだ映像信号の中から前記特定色の映像信号を抽出する特定色抽出手段と、前記特定色抽出手段で抽出した前記特定色の映像信号に基づき、前記取り込んだ映像信号のホワイトバランスを制御するための制御量を算出するホワイトバランス制御量算出手段と、前記ホワイトバランス制御量算出手段で算出した制御量に応じて前記取り込んだ映像信号のホワイトバランスを補正するホワイトバランス補正手段と、前記特定色の映像信号を色補正するために設定してある色補正パラメータ値に基づき、前記ホワイトバランス補正手段で補正された映像信号の特定色を所定の色に色補正する色補正手段と、前記色補正手段で補正された映像信号のうち、色差平面における原点を中心とした所定範囲に該当する映像信号のゲイン量を補正する低彩度色抑圧処理手段と、前記撮影モード選択手段で選択した撮影モード情報に基づいて前記映像信号の輝度レベルを補正する前記映像信号の輝度レベルを補正する輝度補正手段と、を備えた撮像装置。
（６）前記輝度補正手段は、前記映像信号における前記特定色の映像信号の割合を算出し、該算出した割合に応じて該特定色の映像信号の輝度レベルを補正する機能を備えていることを特徴とする（５）に記載の撮像装置。
（７）前記色補正手段は、前記映像信号の特定色を所定の色に色補正するとき、色差平面における該当の特定色を示す位置と前記所定の色を示す範囲の中心位置とを直線で結び、該直線と前記所定の色を示す範囲の最外周との交点の位置に該当する色に色補正することを特徴とする（５）に記載の撮像装置。
（８）前記色補正手段は、前記色補正パラメータ値を変更する機能を備えていることを特徴とする（５）に記載の撮像装置。
（９）前記撮影モード選択手段は、前記撮影モード情報を撮影環境に応じて自動的に選択する機能を備えていることを特徴とする（５）に記載の撮像装置。
【００３１】
このような構成の撮像装置において、撮影モード選択手段で選択された撮影モード情報に基づいて、特定色抽出手段によって取り込んだ映像信号の中から特定色の映像信号を抽出し、ホワイトバランス制御量算出手段が抽出した特定色の映像信号に基づいて取り込んだ映像信号のホワイトバランスを制御するための制御量を算出し、ホワイトバランス補正手段がこの制御量に応じて映像信号のホワイトバランスを補正し、色補正手段が予め設定してある色補正パラメータ値に基づいて映像信号の中の特定色を所定の色に補正する。
【００３２】
そして、低彩度色抑圧処理手段が色補正手段で色補正された映像信号のうち、色差平面における原点を中心とした所定範囲に該当する映像信号のゲイン量を補正することによって、映像信号の中の特定色を補正し、且つ、特定色の補正によってずれたホワイトバランスを補正することができる。
【発明の効果】
【００３３】
本発明の撮像装置は、低彩度色抑圧処理手段によって、特定色が補正された映像信号のうち、色差平面における原点を中心とした所定範囲、即ち、ホワイトバランスに関係する所定範囲に該当する色だけを補正することで、特定色の補正によってずれてしまった他の色をすべて補正しなくても、特定色が補正され、且つ、ホワイトバランスが適切に補正された映像信号を得ることができる。
【００３４】
従って、色差平面の各象限（４象限）の色を補正するための色収束回路を個別に設けなくてもよくなり、回路構成を簡素化することができるのでコストを低減することが可能となる。また、色差平面における原点を中心とした所定範囲だけを補正するので演算処理の負荷が軽減されるという優れた効果を奏するものである。
【発明を実施するための最良の形態】
【００３５】
次に、本発明の撮像装置よる実施の形態について図面を参照して説明する。但し、図面は専ら解説のためのものであって、本発明の技術的範囲を限定するものではない。
【実施例】
【００３６】
図１は、撮像装置において、色信号補正処理を行うための主要部の概略構成を示したブロック図であり、撮像レンズ部１０１、撮像素子１０２、Ｓ／Ｈ（Ｓａｍｐｌｅ／Ｈｏｌｄ）回路１０３、ＡＧＣ（Ａｕｔｏｍａｔｉｃ  Ｇａｉｎ  Ｃｏｎｔｒｏｌ）回路１０４、Ａ／Ｄ（Ａｎａｌｏｇ／Ｄｉｇｉｔａｌ）変換回路１０５、特定色抽出回路１０６、ＷＢ（ホワイトバランス）制御量算出回路１０７、ＷＢ（ホワイトバランス）回路１０８、ガンマ補正回路１０９、信号処理回路１１０、輝度補正回路１１１、色差補正回路１１２、低彩度色抑圧回路１１３、撮影モード選択回路１２０、特定色信号処理部１３０などを備えている。
【００３７】
撮像レンズ部１０１は、被写体からの光を取り込んで撮像素子１０２へ送る。
【００３８】
撮像素子１０２は、光を電気信号に変換する複数個の画素（例えば、ＣＣＤ；Ｃｈａｒｇｅ  Ｃｏｕｐｌｅｄ  Ｄｅｖｉｃｅなど）が配列されており、各画素によって撮像レンズ部１０１を通過してくる被写体からの光を電気信号に変換し、アナログ映像信号としてＳ／Ｈ回路１０３に送出する。
【００３９】
Ｓ／Ｈ回路１０３は、撮像素子１０２から送られてくるアナログ映像信号をサンプリングしてＡＧＣ回路１０４に送出し、サンプリングした値をＡ／Ｄ変換回路１０５の処理が終了するまで保持し、この処理が終了すると次のサンプリング値をＡＧＣ回路１０４に送出する。
【００４０】
ＡＧＣ回路１０４は、Ｓ／Ｈ回路１０３でサンプリングされたアナログ映像信号を増幅して、Ａ／Ｄ変換回路１０５へ送出する。
【００４１】
Ａ／Ｄ変換回路１０５は、ＡＧＣ回路１０４で増幅されたアナログ映像信号をデジタルの映像信号（Ｒ［赤］／Ｇ［緑］／Ｂ［青］）に変換して特定色信号抽出回路１０６及びＷＢ回路１０８へ送出する。
【００４２】
特定色抽出回路１０６は、後述する撮影モード選択回路１２０からの撮影モード情報に基づき、また、特定色信号処理部１３０（の信号処理回路１３３）からの輝度信号Ｙsに応じて、Ａ／Ｄ変換回路１０５から送られてくる映像信号（Ｒ［赤］／Ｇ［緑］／Ｂ［青］）のなかから、色補正の対象とする特定色の映像信号（以下、特定色信号（Ｒs［赤］／Ｇs［緑］／Ｂs［青］）という）を抽出し、ＷＢ制御量算出回路１０７及び特定色信号処理部１３０（のＷＢ回路１３１）に送出する。
【００４３】
なお、特定色の映像信号を抽出するときは、図２に示すように、映像信号（Ｒ［赤］／Ｇ［緑］／Ｂ［青］）の輝度レベルに応じて、色差平面グラフ（縦軸を色差［Ｒ−Ｇ］、横軸を色差［Ｂ−Ｇ］とした２次元座標）における特定色の抽出範囲を変更して特定色の映像信号の検出を行う。
【００４４】
ＷＢ（ホワイトバランス）制御量算出回路１０７は、撮影モード選択回路１２０（後述）からの撮影モード情報に基づき、特定色抽出回路１０６からの特定色信号（Ｒs［赤］／Ｇs［緑］／Ｂs［青］）と、後述する特定色信号処理部１３０（の信号処理回路１３３）からの輝度信号Ｙs及び色差信号［Ｂs−Ｙs］／［Ｒs−Ｙs］に応じたホワイトバランスの制御量（以下、ホワイトバランス制御量）を算出してＷＢ回路１０８に送る。
【００４５】
ＷＢ（ホワイトバランス）回路１０８は、ＷＢ制御量算出回路１０７で算出されたホワイトバランス制御量に従い、Ａ／Ｄ変換回路１０５から送られてくる映像信号（Ｒ［赤］／Ｇ［緑］／Ｂ［青］）のホワイトバランスを補正してガンマ補正回路１０９へ送出する。
【００４６】
ガンマ補正回路１０９は、ＷＢ回路１０８から送られてくる映像信号（Ｒ［赤］／Ｇ［緑］／Ｂ［青］）の階調を補正する、いわゆる、ガンマ補正を行って信号処理回路１１０へ送出する。
【００４７】
信号処理回路１１０は、ガンマ補正回路１０９から送られてくる映像信号（Ｒ［赤］／Ｇ［緑］／Ｂ［青］）を輝度信号Ｙ及び色差信号［Ｂ−Ｙ］／［Ｒ−Ｙ］に変換する。そして、変換した輝度信号Ｙを輝度補正回路１１１に送出し、また、変換した色差信号［Ｂ−Ｙ］／［Ｒ−Ｙ］を色差補正回路１１２に送出する。
【００４８】
輝度補正回路１１１は、撮影モード選択回路１２０からの撮像モード情報に基づいて信号処理回路１１０から送られてくる輝度信号Ｙの輝度レベルを補正し、補正した輝度信号Ｙ"を次段回路へ送出する。
【００４９】
また、輝度補正回路１１１は、撮影した映像信号全体（画枠全体）における特定色の割合を算出して、算出した割合に応じて輝度信号Ｙにおける特定色の輝度レベルを補正する。
【００５０】
色差補正回路１１２は、撮影モードに応じて定められた色補正の対象となる特定色を記憶色など所定の色に色補正するための色補正パラメータ値が設定されており、この色補正パラメータ値に基づいて信号処理回路１１０から送られてくる色差信号［Ｂ−Ｙ］／［Ｒ−Ｙ］のなかの特定色を所定の色（記憶色など）に補正処理して低彩度色抑圧回路１１３へ送出する。
【００５１】
また、色差補正回路１１２は、後述する撮影モード選択回路１２０の撮影モード情報の変更に伴って特定色を色補正するための色補正パラメータ値を変更することが可能であり、例えば、メモリカードなどの記録媒体からデータを取得可能な機器の場合、記録媒体（メモリカードなど）に記録されている別の色補正パラメータ値を読み出して変更したり、通信ネットワークと接続可能な機器の場合、通信ネットワークを介して取得した色補正パラメータ値に変更することができる。
【００５２】
低彩度色抑圧回路１１３は、撮影モード選択回路１２０（後述）からの撮影モード情報に基づき、後述する特定色信号処理部１３０（の信号処理回路１３３）からの色差信号［Ｂs−Ｙs］／［Ｒs−Ｙs］に応じて低彩度色抑圧制御を行い、色差補正回路１１２から送出される色差信号［Ｂ−Ｙ］／［Ｒ−Ｙ］のうち、色差平面における原点を中心とした所定範囲（以下、ＷＢ範囲）に該当する色差信号［Ｂ−Ｙ］／［Ｒ−Ｙ］のゲイン量を補正した色差信号［Ｂ−Ｙ］"／［Ｒ−Ｙ］"を次段回路へ送出する。
【００５３】
撮影モード選択回路１２０は、予め撮影する条件や場面など（例えば、海、夜景、ポートレート、風景など）に応じて複数の撮影モードが設定されており、所望の撮影モードを選択することができる。
【００５４】
そして、撮影モードが選択されると、選択された撮影モードに対応した撮影モード情報を特定色抽出回路１０６、ＷＢ制御量算出回路１０７、輝度補正回路１１１、低彩度色抑圧回路１１３など装置内の各部に送出する。
【００５５】
撮影モード情報には、撮影モードに応じて定められた色補正の対象となる特定色の情報、ピントやホワイトバランスなどの各種設定を自動的に行うために必要な情報などが含まれている。
【００５６】
なお、撮影モード選択回路１２０は、周囲の明るさや光源の状態など撮影環境に応じて適切な撮影モードを自動的に選択できるようにすることも可能であり、自動選択と手動選択を切り換えるようにすることもできる。
【００５７】
また、撮影モード情報は変更可能であり、例えば、メモリカードなどの記録媒体からデータを取得可能な機器の場合、記録媒体（メモリカードなど）に記録されている別の撮影モード情報を読み出して変更したり、通信ネットワークと接続可能な機器の場合、通信ネットワークを介して取得した撮影モード情報に変更することができるので、ユーザの好みに応じた色や色相となるような撮影モード情報に変更したり、ユーザ別にカスタマイズすることも可能である。
【００５８】
特定色信号処理部１３０は、ＷＢ（ホワイトバランス）回路１３１、ガンマ補正回路１３２、信号処理回路１３３などから構成されている。
【００５９】
特定色信号処理部１３０のＷＢ回路１３１は、特定色抽出回路１０６で抽出された特定色信号（Ｒs［赤］／Ｇs［緑］／Ｂs［青］）のホワイトバランスを補正してガンマ補正回路１３２へ送出する。
【００６０】
特定色信号処理部１３０のガンマ補正回路１３２は、 ＷＢ回路１３１から送られてくる特定色信号（Ｒs［赤］／Ｇs［緑］／Ｂs［青］）の階調を補正する、いわゆる、ガンマ補正を行って信号処理回路１３３へ送出する。
【００６１】
特定色信号処理部１３０の信号処理回路１３３は、ガンマ補正回路１３２でガンマ補正された特定色信号（Ｒs［赤］／Ｇs［緑］／Ｂs［青］）を輝度信号Ｙs及び色差信号［Ｂs−Ｙs］／［Ｒs−Ｙs］に変換し、変換した輝度信号Ｙsを特定色抽出回路１０６及びＷＢ制御量算出回路１０７に送出し、また、変換した色差信号［Ｂs−Ｙs］／［Ｒs−Ｙs］をＷＢ制御量算出回路１０７及び低彩度色抑圧回路１１３に送出する。
【００６２】
続いて、このような構成を備えた撮像装置１００による色補正処理の概要について説明する。
【００６３】
図３は、色補正処理の様子を簡略化して示した図であり、範囲１０ａ、１０ｂ、１０ｃは、色差平面グラフ（縦軸を色差［Ｒ−Ｙ］、横軸を色差［Ｂ−Ｙ］とした２次元座標）において特定色Ａ、Ｂ、Ｃの存在する範囲を示している。なお、このときの色差平面グラフは、装置のホワイトバランス補正機能をオンにしてあるときの状態を基準としている。
【００６４】
例えば、図３（ａ）の色差平面グラフにおいて、位置ａに相当する色の色差信号を特定色Ａとなるように色補正処理する場合、まず、範囲１０ａの中心位置と位置ａを直線で結び、範囲１０ａの最外周と交差する位置である位置ａ１を求め、位置ａ〜位置ａ１の距離に応じた補正量を算出し、算出した補正量に基づいて色差信号を補正する。
【００６５】
ところが、この補正量に基づいて特定色の色補正処理を行うと、色差平面グラフにおける他の象限の色にも影響を与えることになる。
【００６６】
例えば、図３（ａ）では、右上／右下／左下の象限、図３（ｂ）では、右上／左上／左下の象限、図３（ｃ）では、右上／右下／左上の象限に該当する色の映像信号にも影響を与え、映像全体の色が変化してしまうことになる。
【００６７】
具体的には、図４（ａ）に示すように、位置ａを特定色Ａとなる位置ａ１に補正処理すると、他の象限に存在する色（色差信号）の位置も同じ距離分移動することになり、図４（ｂ）のように色差平面グラフの原点が位置ａ〜位置ａ１の距離分ずれた状態と同じことになる。
【００６８】
つまり、色差平面グラフの原点がずれるということは、映像信号に対するホワイトバランスがずれることになり、映像全体の色が大きく変化することになる。
【００６９】
そこで、低彩度色抑圧処理を行うことにより、上述したＷＢ範囲に該当する色差信号［Ｂ−Ｙ］／［Ｒ−Ｙ］のゲイン量のみを補正する、即ち、色差平面上のホワイトバランスに影響のある所定の範囲のみを補正する（ホワイトバランスのずれを補正する）ことで、映像全体の色への影響をなくすようにする。
【００７０】
図５は、低彩度色抑圧処理を簡略化して示したものであり、図５（ａ）のように、特定色の補正によってずれてしまったＷＢ範囲２０Ａ（点線）を色差補正回路１１２で補正する前の状態、即ち、ＷＢ範囲２０（実線）に補正するため、映像信号の中のＷＢ範囲に該当する色差信号のゲイン量を算出し、図５（ｂ）に示すように、算出したゲイン量に基づいてＷＢ範囲２０に該当する映像信号のみを補正することで、特定色を補正した状態で、且つ、ホワイトバランスのずれを補正するものである。
【００７１】
次に、ＷＢ制御量算出回路で算出されるホワイトバランス制御量について図６を参照しながら説明する。
【００７２】
図６（ａ）は、色差平面グラフ（縦軸を色差［Ｒ−Ｇ］、横軸を色差［Ｂ−Ｇ］とした２次元座標）において、座標［Ｂ1−Ｇ,Ｒ1−Ｇ］、即ち、位置ａ１に該当する色の映像信号を点ｃａの位置を中心とする範囲２０の特定色Ａに色補正するときの様子を略示的に表したものである。
【００７３】
なお、図６（ａ）の色差平面グラフは、装置のホワイトバランス補正機能をオンにしたときの状態が基準となっており、補正対象となる色の映像信号の位置ａ１は、ホワイトバランス補正機能によって、ホワイトバランス補正が全く行われていない状態の位置ａ０（座標［Ｂ0−Ｇ,Ｒ0−Ｇ］）から所定のホワイトバランス補正が行われた状態の位置である。
【００７４】
まず、色差平面上における補正位置を求めるため、撮影モード情報に対応した特定色Ａの範囲１０ａの中心位置ｃａと、補正対象となる色の映像信号の位置ａ１を直線で結び、範囲１０ａの最外周と交差する位置ａ２の座標［Ｂ2−Ｇ,Ｒ2−Ｇ］を算出する。
【００７５】
なお、特定色Ａの範囲１０ａの中心位置ｃａではなく、範囲１０ａの最外周と交差する位置ａ２の座標［Ｂ2−Ｇ,Ｒ2−Ｇ］へ色補正することで、補正対象の色が他の色との色合いが極端に変化することを抑えている。
【００７６】
ここで、位置ａ１を位置ａ２に補正するために必要な補正量ｆr、ｆbとすると、位置ａ１を位置ａ２の関係は次に示す数式１によって表される。
【００７７】
【数１】
2005086641.tif 000003
【００７８】
また、図６（ａ）の色差平面グラフをｒａｔｉｏ平面グラフ（縦軸を［Ｒ／Ｇ］、横軸を色差［Ｂ／Ｇ］とした２次元座標）で表すと、位置ａ０、ａ１、ａ２の関係は図６（ｂ）に示すようになる。
【００７９】
図６（ｂ）のｒａｔｉｏ平面グラフにおいて、位置ａ１を位置ａ２に補正するために必要な補正量ｈr、ｈbとすると、位置ａ１を位置ａ２の関係は次に示す数式２によって表される。
【００８０】
【数２】
2005086641.tif 000004
【００８１】
上述した数式１と数式２に基づいて補正量ｈr、ｈbを表すと、次に示す数式３で表すことができる。
【００８２】
【数３】
2005086641.tif 000005
【００８３】
また、ホワイトバランス補正機能をオンにすると、図６（ｂ）のｒａｔｉｏ平面グラフにおいて、ホワイトバランス補正が全く行われていない状態の位置ａ０（座標［Ｂ0／Ｇ,Ｒ0／Ｇ］）の映像信号は、位置ａ１（座標［Ｂ1／Ｇ,Ｒ1／Ｇ］）に補正される。このときの補正量をｇr、ｇbとすると、位置ａ０と位置ａ１の関係は次に示す数式４によって表される。
【００８４】
【数４】
2005086641.tif 000006
【００８５】
そして、上述した数式２と数式４から次に示す数式５が導かれる。
【００８６】
【数５】
2005086641.tif 000007
【００８７】
ここで、「ｈr・ｇr」及び「ｈb・ｇb」は、位置ａ０を位置ａ２に補正するために必要な制御量であり、これをホワイトバランス制御量ｇr'、ｇb'として、「ｈｒ」及び「ｈｂ」に数式３の補正量ｈr、ｈbをそれぞれ代入すると、ホワイトバランス制御量ｇr'、ｇb'は次に示す数式６により表すことができる。
【００８８】
【数６】
2005086641.tif 000008
【００８９】
なお、補正量ｇr、ｇbは、位置ａ０を位置ａ１に補正するときの自動ホワイトバランスの補正量、即ち、装置のホワイトバランス補正機能により自動的に設定される補正量である。
【００９０】
ＷＢ制御量算出回路１０７は、数式６に基づいてホワイトバランス制御量ｇr'、ｇb'を算出してＷＢ回路１０８へ送出し、ＷＢ回路１０８は、ホワイトバランス制御量ｇr'、ｇb'に従って特定色が最適な色となるように映像信号のホワイトバランスを補正する。
【００９１】
次に、低彩度色抑圧回路の動作について説明する。
【００９２】
上述したように、色差補正回路１１２では、設定してある色補正パラメータ値に基づいて送られてくる色差信号[Ｂ−Ｙ]／[Ｒ−Ｙ]の特定色を所定の色に補正処理するが、この補正処理に伴って映像信号の特定色以外の色も変化してしまう、換言すると、色差平面における位置がずれてしまうことになる。
【００９３】
つまり、ホワイトバランスもずれてしまい、映像全体の色が変化した状態（図５（ａ）参照）となるため、色差信号[Ｂ−Ｙ]／[Ｒ−Ｙ]のうち、ＷＢ範囲に該当する色差信号[Ｂ−Ｙ]／[Ｒ−Ｙ]のゲイン量を算出し、算出したゲイン量に応じて、ＷＢ範囲に該当する色差信号[Ｂ−Ｙ]／[Ｒ−Ｙ]を補正する、いわゆる低彩度色抑圧処理を行う（図５（ｂ）参照）。
【００９４】
低彩度色抑圧処理は、まず、ＷＢ範囲に該当する色差信号[Ｂ−Ｙ]／[Ｒ−Ｙ]のゲイン量を算出するため、色差平面グラフにおける原点とＷＢ範囲に該当する色差信号[Ｂ−Ｙ]／[Ｒ−Ｙ]との直線距離を求める。
【００９５】
図７に示すように、色差平面グラフにおける原点から色差［Ｂ−Ｙ］方向の距離を「ｂ−ｙ」、原点から色差[Ｒ−Ｙ]方向の距離を「ｒ−ｙ」とすると、原点とＷＢ範囲に該当する色差信号[Ｂ−Ｙ]／[Ｒ−Ｙ]との直線距離「ｓ」（以下、距離ｓ）は、次に示す数式７で算出される。
【００９６】
【数７】
2005086641.tif 000009
【００９７】
そして、算出した距離ｓに基づいて、次に示す数式８によりＷＢ範囲に該当する色差信号[Ｂ−Ｙ]／[Ｒ−Ｙ]のゲイン量を算出する。
【００９８】
【数８】
2005086641.tif 000010
【００９９】
ここで、ｓ；原点からの直線距離、γ；収束係数、ｇａｉｎ（ｓ,γ）；ゲイン量（補正量）である。
【０１００】
なお、収束係数γは、様々な画像の色を評価して求めた係数値であり、予め装置内に記憶され、色差平面上の所定の色（に該当する位置）に収束させるためのゲイン量を算出するときの係数値となる。
【０１０１】
図８は、数式７及び数式８に基づき、原点からの直線距離ｓ（以下、距離ｓという）の収束係数γ乗をゲイン量ｇａｉｎ（ｓ,γ）に対応させたグラフを正規化したものであり、収束係数γの値により”０＜γ＜１”、”γ＝１”、”γ＞１”に区分される。
【０１０２】
ゲイン量を算出するときは、図８に基づき、数式７で求めた距離ｓに応じて収束係数γを選択し、この収束係数γと数式７によって求めた距離ｓによってＷＢ範囲に該当する色差信号[Ｂ−Ｙ]／[Ｒ−Ｙ]のゲイン量ｇａｉｎ（ｓ,γ）が算出される。
【０１０３】
なお、色差平面上のＷＢ範囲２０の形状が円形や楕円形の場合、演算量が多いため、図９に示すように、基準となる所定の円形（以下、基準円という）を矩形に変形した場合の変形率を求めておき、ＷＢ範囲２０の形状を矩形として距離ｓ及びゲイン量ｇａｉｎ（ｓ,γ）を算出し、算出した距離ｓ及びゲイン量ｇａｉｎ（ｓ,γ）の値を変形率に応じて補正することにより演算量を低減させ、処理速度を向上させることも可能である。
【０１０４】
そして、次に示す数式９に基づき、算出したゲイン量ｇａｉｎ(ｓ,γ)と色差補正回路１１２から送られてくる色差信号［Ｂ−Ｙ］及び色差信号［Ｒ−Ｙ］を乗算処理することにより、ＷＢ範囲に該当する色差信号のゲイン量を補正する（収束させる）。
【０１０５】
【数９】
2005086641.tif 000011
【０１０６】
このようにして、色差平面における原点を中心とした所定範囲に該当する色だけを補正することで、特定色の補正によりずれたホワイトバランスを補正することができる。
【０１０７】
続いて、上述した構成を備えた撮像装置１００における色補正処理の動作過程を図１０のフローチャートを参照しながら説明する。
【０１０８】
まず、撮影者が撮影モード選択回路１２０を介して所望の撮影モードを選択する、若しくは、撮影環境に応じて撮影モードが自動的に選択されると、選択された撮影モードに対応した撮影モード情報が装置各部（特定色抽出回路１０６、ＷＢ制御量算出回路１０７、輝度補正回路１１１、低彩度色抑圧回路１１３など）に送られ、ピントやホワイトバランスなどの各種設定が自動的に行われる（ＳＴ１００）。
【０１０９】
そして、撮影が開始されると、撮像レンズ部１０１を介して入力される被写体からの光を撮像素子１０２で電気信号に変換し、Ｓ／Ｈ回路１０３、ＡＧＣ回路１０４を経由して、Ａ／Ｄ変換回路１０５によってデジタルの映像信号（Ｒ［赤］／Ｇ［緑］／Ｂ［青］）に変換して、特定色抽出回路１０６及びＷＢ回路１０８に送出する。
【０１１０】
特定色信号抽出回路１０６では、撮影モード選択回路１２０で選択された撮影モード情報に基づいて、Ａ／Ｄ変換回路１０５から送られてくる映像信号（Ｒ［赤］／Ｇ［緑］／Ｂ［青］）の中から特定色信号（Ｒs［赤］／Ｇs［緑］／Ｂs［青］）を抽出し、ＷＢ制御量算出回路１０７及び特定色信号処理部１３０に送出する。（ＳＴ１１０）。
【０１１１】
ここで、まず、映像信号（Ｒ［赤］／Ｇ［緑］／Ｂ［青］）の処理過程について説明する（図１０の点線[１］）。
【０１１２】
ＷＢ制御量算出回路１０７では、撮影モード選択回路１２０で選択された撮影モード情報に基づき、特定色信号処理部１３０（の信号処理回路１３３）からの輝度信号Ｙs及び色差信号［Ｂs−Ｙs］／［Ｒs−Ｙs］に応じたホワイトバランス制御量を算出してＷＢ回路１０８に送出する（ＳＴ１２０）。
【０１１３】
ＷＢ回路１０８では、Ａ／Ｄ変換回路１０５から送られてくる映像信号（Ｒ［赤］／Ｇ［緑］／Ｂ［青］）の色温度を判定し、ＷＢ制御量算出回路１０７で算出されたホワイトバランスの制御量に基づいて映像信号（Ｒ［赤］／Ｇ［緑］／Ｂ［青］）のホワイトバランスを補正してガンマ補正回路１０９に送出する（ＳＴ１２１）。
【０１１４】
ガンマ補正回路１０９は、ホワイトバランスが補正された映像信号（Ｒ［赤］／Ｇ［緑］／Ｂ［青］）の階調を補正（ガンマ補正）して信号処理回路１１０に送出する（ＳＴ１２２）。
【０１１５】
信号処理回路１１０は、ガンマ補正された映像信号（Ｒ［赤］／Ｇ［緑］／Ｂ［青］）を輝度信号Ｙ及び色差信号［Ｂ−Ｙ］／色差信号［Ｒ−Ｙ］に変換し、変換した輝度信号Ｙを輝度補正回路１１１に送出すると共に、変換した色差信号［Ｂ−Ｙ］／色差信号［Ｒ−Ｙ］を色差補正回路１１２に送出する（ＳＴ１２３）。
【０１１６】
色差補正回路１１２では、設定してある色補正パラメータ値に基づき、信号処理回路１１０から送られてくる色差信号［Ｂ−Ｙ］／［Ｒ−Ｙ］の特定色を所定の色に補正し、色補正した色差信号［Ｂ−Ｙ］／［Ｒ−Ｙ］を低彩度色抑圧回路１１３へ送出する（ＳＴ１２４）。
【０１１７】
一方、特定色信号処理部１３０による特定色信号（Ｒs［赤］／Ｇs［緑］／Ｂs［青］）の処理過程について説明する（図１０の点線[２]）。
【０１１８】
まず、特定色信号処理部１３０のＷＢ回路１３１では、特定色信号抽出回路１０６で抽出された特定色信号（Ｒs［赤］／Ｇs［緑］／Ｂs［青］）の色温度を判定し、特定色信号（Ｒs［赤］／Ｇs［緑］／Ｂs［青］）のホワイトバランスを補正してガンマ補正回路１３２に送出する（ＳＴ１３０）。
【０１１９】
次に、特定色信号処理部１３０のガンマ補正回路１３２は、ホワイトバランスが補正された特定色信号（Ｒs［赤］／Ｇs［緑］／Ｂs［青］）の階調を補正（ガンマ補正）して信号処理回路１３３に送出する（ＳＴ１３１）。
【０１２０】
次に、特定色信号処理部１３０の信号処理回路１３３は、ガンマ補正された特定色信号（Ｒs［赤］／Ｇs［緑］／Ｂs［青］）を輝度信号Ｙs及び色差信号［Ｂs−Ｙs］／［Ｒs−Ｙs］に変換し、輝度信号Ｙsを特定色抽出回路１０６及びＷＢ制御量算出回路１０７に送出すると共に、色差信号［Ｂs−Ｙs］／色差信号［Ｒs−Ｙs］をＷＢ制御量算出回路１０７及び低彩度色抑圧回路１１３に送出する（ＳＴ１３２）。
【０１２１】
上述した映像信号（Ｒ［赤］／Ｇ［緑］／Ｂ［青］）並びに特定色信号（Ｒs［赤］／Ｇs［緑］／Ｂs［青］）の処理に続き、輝度補正回路１１１及び低彩度色抑圧回路１１３による処理が行われる。
【０１２２】
輝度補正回路１１１では、撮影モード選択回路１２０で選択された撮影モード情報に基づいて、信号処理回路１１０から送られてくる輝度信号Ｙの輝度レベルを補正し、輝度補正した輝度信号Ｙ"を次段回路へ出力する（ＳＴ１４０、ＳＴ１５０）。
【０１２３】
一方、低彩度色抑圧回路１１３は、撮影モード選択回路１２０で選択された撮影モード情報に基づき、特定色信号処理部１３０の信号処理回路１３３から送られてくる色差信号［Ｂs−Ｙs］／色差信号［Ｒs−Ｙs］に応じた低彩度色抑圧制御を行い、色差補正回路１１２から送られてくる色差信号［Ｂ−Ｙ］／色差信号［Ｒ−Ｙ］のうち、ＷＢ範囲に該当する色差信号［Ｂ−Ｙ］／［Ｒ−Ｙ］のゲイン量を補正し、ホワイトバランスのずれを補正した色差信号［Ｂ−Ｙ］"／［Ｒ−Ｙ］"を次段回路へ送出する（ＳＴ１４０、ＳＴ１５０）。
【０１２４】
このように、撮影モード選択回路１２０で選択された撮影モード情報に基づき、色差補正回路１１２で特定色を補正し、低彩度色抑圧回路１１３によってＷＢ範囲に該当する色差信号[Ｂ−Ｙ]／[Ｒ−Ｙ]のみを補正することにより、特定色が補正され、且つ、色補正処理によってずれてしまったホワイトバランスが補正された映像信号が出力される。
【図面の簡単な説明】
【０１２５】
【図１】本願発明に係る撮像装置において、色信号補正処理を行うための主要部の概略構成を示したブロック図である。
【図２】図１の撮像装置において、映像信号の輝度レベルに応じて特定色の抽出範囲を変化させる様子を簡略化して示した説明図である。
【図３】図１の撮像装置における色補正処理の様子を例示した説明図である。
【図４】図１の撮像装置による色補正処理でホワイトバランスがずれた様子を簡略化して示した説明図である。
【図５】図４の色補正処理でホワイトバランスのずれを補正する様子を説明するための説明図である。
【図６】図１の撮像装置のＷＢ制御量算出回路によって算出されるホワイトバランス制御量について説明するための説明図である。
【図７】図１の撮像装置の低彩度色抑圧回路によって色差信号のゲイン量を算出するときの動作を説明するための説明図である。
【図８】色差平面グラフにおける原点からの直線距離ｓ、収束係数γ、ゲイン量ｇａｉｎ（ｓ,γ）の関係を示したグラフである。
【図９】図１の撮像装置の低彩度色抑圧回路による補正範囲を簡略化した場合の一例を示した説明図である。
【図１０】図１の撮像装置の色信号補正処理の動作概要を示したフローチャートである。
【図１１】従来技術の撮像装置において、色補正処理を行うための主要部の概略構成を示したブロック図の一例である。
【図１２】図１１の撮像装置による色信号補正処理の動作概要を示したフローチャートである。
【図１３】図１１の撮像装置による色補正処理の様子を簡略化して示した説明図である。
【符号の説明】
【０１２６】
１００；撮像装置
１０１；撮像レンズ部
１０２；撮像素子（ＣＣＤなど）
１０３；Ｓ／Ｈ（Ｓａｍｐｌｅ／Ｈｏｌｄ）回路
１０４；ＡＧＣ（Ａｕｔｏｍａｔｉｃ  Ｇａｉｎ  Ｃｏｎｔｒｏｌ）回路
１０５；Ａ／Ｄ（Ａｎａｌｏｇ／Ｄｉｇｉｔａｌ）変換回路
１０６；特定色抽出回路
１０７；ＷＢ（ホワイトバランス）制御量算出回路
１０８；ＷＢ（ホワイトバランス）回路
１０９；ガンマ補正回路
１１０；信号処理回路
１１１；輝度補正回路
１１２；色差補正回路
１１３；低彩度色抑圧回路
１２０；撮影モード選択回路
１３０；特定色信号処理部
１３１；ＷＢ（ホワイトバランス）回路
１３２；ガンマ補正回路
１３３；信号処理回路
１００Ａ；撮像装置
１０１Ａ；撮像レンズ部
１０２Ａ；撮像素子（ＣＣＤなど）
１０３Ａ；Ｓ／Ｈ（Ｓａｍｐｌｅ／Ｈｏｌｄ）回路
１０４Ａ；ＡＧＣ（Ａｕｔｏｍａｔｉｃ  Ｇａｉｎ  Ｃｏｎｔｒｏｌ）回路
１０５Ａ；Ａ／Ｄ（Ａｎａｌｏｇ／Ｄｉｇｉｔａｌ）変換回路
１０６Ａ；特定色抽出回路
１０７Ａ；ＷＢ（ホワイトバランス）回路
１０８Ａ；ガンマ補正回路
１０９Ａ；信号処理回路
１１０Ａ；色差信号補正回路
１２０Ａ；撮影モード選択回路
１３０Ａ；色補正値設定回路
【図１】
2005086641.tif 000012
【図２】
2005086641.tif 000013
【図３】
2005086641.tif 000014
【図４】
2005086641.tif 000015
【図５】
2005086641.tif 000016
【図６】
2005086641.tif 000017
【図７】
2005086641.tif 000018
【図８】
2005086641.tif 000019
【図９】
2005086641.tif 000020
【図１０】
2005086641.tif 000021
【図１１】
2005086641.tif 000022
【図１２】
2005086641.tif 000023
【図１３】
2005086641.tif 000024